(57)【要約】【課題】ＰＣ柱をきわめて簡単に能率よく位置決めすることができるようにした位置決め治具を提供することである。【解決手段】コンクリート床ＦＬの柱建込み面より突設し、ＰＣ柱Ａの下面に形成された鉄筋挿入孔２３内に挿入される多数の鉄筋２０の１つに対して係合可能なフック２の後端部に軸受７を設け、その軸受７のねじ孔９にねじ係合されたねじ軸１０の先端部に押圧パッド１３を、上記ねじ軸１０に対して相対的に回転自在に設ける。鉄筋２０にフック２を係合し、ねじ軸１０の回動によりＰＣ柱Ａに向けて移動する押圧パッド１３によりＰＣ柱Ａの下部外周を押圧してＰＣ柱Ａを位置決めする。【選択図】図１
2005240286.tif 000002
【特許請求の範囲】
【請求項１】
床の柱建込み位置に突設された多数の鉄筋の１つに対して係合可能な鈎部を先端に有するフックの後端部上面に軸受を設け、その軸受の前後面に貫通するねじ孔にねじ軸をねじ係合し、そのねじ軸の前記鈎部側に位置する先端部に押圧パッドをねじ軸に対して相対的に回転自在に取付けたプレキャストコンクリート柱の位置決め治具。
【請求項２】
床の柱建込み位置にプレキャストコンクリート柱の下面に設けられた多数の鉄筋挿入孔のそれぞれに挿入される多数の鉄筋を突設し、かつ、プレキャストコンクリート柱の下面を支持する複数のレベル調整突部を設け、前記柱建込み位置にプレキャストコンクリート柱を、その下面の鉄筋挿入孔に前記鉄筋が挿入されるよう建込んで、プレキャストコンクリート柱の下面をレベル調整突部で支持し、前記プレキャストコンクリート柱の下面と床面間に形成された間隙から請求項１に記載の位置決め治具のフックを挿入し、そのフックの先端の鈎部を鉄筋の１つに係合させたのち、ねじ軸を回転し、プレキャストコンクリート柱の外周下部に向けて移動する押圧パッドによりプレキャストコンクリート柱を押圧して、プレキャストコンクリート柱を位置決めするプレキャストコンクリート柱の位置決め方法。
【発明の詳細な説明】
【技術分野】
【０００１】
この発明は、プレキャストコンクリート柱の位置決め治具および位置決め方法に関するものである。
【背景技術】
【０００２】
工場において生産されたプレキャストコンクリート柱（以下、「ＰＣ柱」という）を用いて、ビルやマンション等の中、高層建築物を建設することは従来から普通に行なわれている。
【０００３】
上記のようなＰＣ柱は、多数の鉄筋挿入孔を下面に有している。このＰＣ柱の建込みに際しては、図６に示すように、コンクリート床ＦＬの柱建込み位置に多数の鉄筋２０を突設すると共に、ＰＣ柱Ａの下面を支持する複数のレベル調整突部２１を設け、クレーンによって吊下げられたＰＣ柱Ａを柱建込み位置に下降させ、その下面に設けられた多数の鉄筋挿入孔２３のそれぞれ内部に鉄筋２０が挿入されるよう建込んでレベル調整突部２１でＰＣ柱Ａの下面を支持し、そのＰＣ柱Ａの位置決め後、ＰＣ柱Ａの下面とコンクリート床ＦＬ間の間隙にコンクリートを打込んでＰＣ柱Ａを固定することが行なわれる。
【０００４】
コンクリート床ＦＬ上に建込まれたＰＣ柱Ａの位置決めに際し、従来は、図７（Ｉ）、（II）に示すように、油圧ジャッキ２５を用いてＰＣ柱Ａの外周下部を押圧し、あるいはＰＣ柱Ａの下部外周とコンクリート床間に図示省略したターンバックルをかけ渡し、そのターンバックルの回転操作によってＰＣ柱を押し引きする方法を採用するようにしている。
【発明の開示】
【発明が解決しようとする課題】
【０００５】
ところで、油圧ジャッキ２５やターンバックルを用いるＰＣ柱Ａの位置決めにおいては、コンクリート床ＦＬに孔を穿設し、その孔内にアンカーを固定し、そのアンカーにねじ係合するボルトの締付けによって油圧ジャッキ２５の反力を受ける支持金具２６やターンバックルの一端部を係止する係止金具を取付ける必要があるため、位置決めに非常に手間がかかるという不都合があった。
【０００６】
また、支持金具２６や係止金具にきわめて大きな荷重が作用するため、コンクリート床ＦＬに割れが発生するおそれがあった。
【０００７】
この発明の課題は、ＰＣ柱をきわめて簡単に能率よく位置決めすることができるようにした位置決め治具および位置決め方法を提供することである。
【課題を解決するための手段】
【０００８】
上記の課題を解決するために、この発明に係るＰＣ柱の位置決め治具においては、床の柱建込み位置に突設された多数の鉄筋の１つに対して係合可能な鈎部を先端に有するフックの後端部上面に軸受を設け、その軸受の前後面に貫通するねじ孔にねじ軸をねじ係合し、そのねじ軸の前記鈎部側に位置する先端部に押圧パッドをねじ軸に対して相対的に回転自在に取付けた構成を採用したのである。
【０００９】
また、この発明に係るＰＣ柱の位置決め方法においては、床の柱建込み位置にプレキャストコンクリート柱の下面に設けられた多数の鉄筋挿入孔のそれぞれに挿入される多数の鉄筋を突設し、かつ、プレキャストコンクリート柱の下面を支持する複数のレベル調整突部を設け、前記柱建込み位置にプレキャストコンクリート柱を、その下面の鉄筋挿入孔に前記鉄筋が挿入されるよう建込んで、プレキャストコンクリート柱の下面をレベル調整突部で支持し、前記プレキャストコンクリート柱の下面と床面間に形成された間隙から上記位置決め治具のフックを挿入し、そのフックの先端の鈎部を鉄筋の１つに係合させたのち、ねじ軸を回転し、プレキャストコンクリート柱の外周下部に向けて移動する押圧パッドによりプレキャストコンクリート柱を押圧して、プレキャストコンクリート柱を位置決めするようにしたのである。
【発明の効果】
【００１０】
上記のように、この発明においては、プレキャストコンクリート柱（ＰＣ柱）の建込み位置に設けられた鉄筋を利用してＰＣ柱の位置決めを行なう構成であるため、コンクリート床に孔を穿設して支持金具や係止金具等の金具を取付ける必要がなく、ＰＣ柱をきわめて簡単に能率よく位置決めすることができると共に、コンクリート床を破損させるおそれがないという効果を奏する。
【発明を実施するための最良の形態】
【００１１】
以下、この発明の実施の形態を図１乃至図５に基づいて説明する。図１および図２は、コンクリート床ＦＬ上にＰＣ柱Ａを建込み、そのＰＣ柱Ａを位置決め治具１によって位置決めしている状態を示している。
【００１２】
ここで、コンクリート床ＦＬの柱建込み位置には、図６に示した場合と同様に多数の鉄筋２０が突設されていると共に、ＰＣ柱Ａの下面を支持する複数のレベル調整突部２１が設けられている。
【００１３】
一方、ＰＣ柱Ａの下面にはパイプ２２のモールドによって上記鉄筋２０のそれぞれが挿入される多数の鉄筋挿入孔２３が鉄筋２０と同一の配置でもって形成されている。
【００１４】
ＰＣ柱Ａはクレーンにより吊り下げられて柱建込み位置の上方まで運び込まれて下降され、多数の鉄筋挿入孔２３内に鉄筋２０が挿入され、複数のレベル調整突部２１によって下面が支持される建込みとされている。その建込み状態において、ＰＣ柱Ａの下面とコンクリート床ＦＬとの間にレベル調整突部２１の高さに相当する間隙２４が形成されている。
【００１５】
図１乃至図３に示すように、位置決め治具１はフック２を有している。フック２は板状をなし、その先端には１本の鉄筋２０に対して係合可能な鈎部３が形成され、後端部にはベース板４が一体に連設されている。
【００１６】
ベース板４には左右一対のねじ孔５が前後に形成され、前側の左右一対のねじ孔５にねじ係合されるボルト６によって軸受７が取付けられている。一方、後側の左右一対のねじ孔５に高さ調整用のボルト８がねじ係合されている。
【００１７】
軸受７には前後に貫通するねじ孔９が設けられ、そのねじ孔９にねじ軸１０がねじ係合されている。実施の形態では、軸受７を取外し可能としたが、ベース板４に軸受７を溶接により固着してもよい。
【００１８】
ねじ軸１０の前記鈎部３側の先端部にはフランジ１１が設けられ、そのフランジ１１の先端面に突軸部１２が設けられている。突軸部１２の先端側には押圧パッド１３が設けられている。押圧パッド１３は上記突軸部１２の先端面にねじ係合された連結ボルト１４によりねじ軸１０に対して軸方向に非分離とされ、上記フランジ１１との間に組込まれたスラスト軸受１５により、ねじ軸１０に対して相対的に回転自在とされている。
【００１９】
押圧パッド１３は矩形状とされ、その下面の一端部にはフック２の腹側の側面に接触可能な案内片１６が設けられ、その案内片１６とフック２の側面の接触によって押圧パッド１３は回り止めされ、かつ振れ止めされている。
【００２０】
ねじ軸１０の後端部には角形のハンドル係合部１７が設けられ、そのハンドル係合部１７に係合されるハンドル１８の操作によってねじ軸１０が回動されるようになっている。
【００２１】
位置決め治具１は上記の構造から成り、コンクリート床ＦＬ上に建込まれたＰＣ柱Ａの位置決めに際しては、そのＰＣ柱Ａの下面とコンクリート床ＦＬ間に形成された間隙２４にフック２の先端部を挿入し、そのフック２の先端部の鈎部３を多数の鉄筋２０の１つに係合させたのち、高さ調整ボルト８を操作して、フック２の下面がコンクリート床ＦＬの柱建込み面に密着するようフック２の水平調整を行ない、その水平調整後にねじ軸１０を回転させるようにする。
【００２２】
図１および図４は、フック２の先端の鈎部３を１本の鉄筋２０に係合し、かつフック２の水平調整を行なった位置決め治具１のセット状態を示し、そのセット状態において、ねじ軸１０を回転させると、押圧パッド１３がＰＣ柱Ａに向けて移動して、そのＰＣ柱Ａの下端部外周を押圧することになり、その押圧によってＰＣ柱Ａの位置決めを行なうことができる。
【００２３】
ここで、ＰＣ柱Ａの位置決めに際し、そのＰＣ柱Ａをコンクリート床ＦＬの壁面Ｂから押圧する必要がある場合は、図５に示すように、ベース板４の下方から後側の左右一対のねじ孔５にねじ込まれるボルトの締付けによってベース板４の下面にＬ形のアタッチメント１９を取付け、そのアタッチメント１９を壁面Ｂに当接させて鉄筋２０に鈎部３を係合させたフック２の安定化を図り、その状態でねじ軸１０を回転して、押圧パッド１３でＰＣ柱Ａの外周下部を押圧する。
【００２４】
このように、フック２の鈎部３を鉄筋２０に係合させることによって位置決め治具１をセットすることができると共に、ねじ軸１０を回転させることによりＰＣ柱Ａの位置決めを行なうことができるため、ＰＣ柱Ａをきわめて簡単に能率よく位置決めすることができ、しかも、コンクリート床ＦＬには何ら負荷がかからないため、コンクリート床ＦＬを破損させることもない。
【００２５】
なお、ＰＣ柱Ａの位置決め後は、ねじ軸１０を弛めて位置決め治具１を取外し、ＰＣ柱Ａの下面とコンクリート床ＦＬ間の間隙２４にコンクリートを流し込んでＰＣ柱Ａを固定する。
【図面の簡単な説明】
【００２６】
【図１】この発明に係る位置決め治具の使用状態を示す縦断正面図
【図２】図１の横断平面図
【図３】図１に示す位置決め治具の分解斜視図
【図４】ＰＣ柱の位置決め前の状態を示す平面図
【図５】ＰＣ柱の位置決めの他の例を示す縦断正面図
【図６】ＰＣ柱の建込み前の状態を示す斜視図
【図７】（Ｉ）はＰＣ柱の位置決めの従来例を示す平面図、（II）は（Ｉ）の一部分を示す側面図
【符号の説明】
【００２７】
ＦＬ  コンクリート床
Ａ    ＰＣ柱
１    位置決め治具
２    フック
３    鈎部
７    軸受
９    ねじ孔
１０  ねじ軸
１３  押圧パッド
２０  鉄筋
２１  レベル調整突部
２３  鉄筋挿入孔
２４  間隙
【図１】
2005240286.tif 000003
【図２】
2005240286.tif 000004
【図３】
2005240286.tif 000005
【図４】
2005240286.tif 000006
【図５】
2005240286.tif 000007
【図６】
2005240286.tif 000008
【図７】
2005240286.tif 000009